(57)【要約】【課題】オブジェクト内の色が変化する変化点の数に基づいて印刷のためのデータの生成に要する生成時間の予測を行う印刷装置を提供する。【解決手段】印刷装置１０は、印刷画像内のオブジェクトの彩色内容を示す色情報を取得する中間データ解析部１３１と、印刷画像を印刷するためのデータの生成に要する生成時間を予測する生成時間算出部１３６と、を有し、生成時間算出部１３６は、色情報により示される、単一オブジェクト内の色が変化する変化点の数に基づいて生成時間を予測する。【選択図】図２
2016052753.tif 000002
【特許請求の範囲】
【請求項１】
印刷画像内のオブジェクトの彩色内容を示す色情報を取得する手段と、
前記印刷画像を印刷するためのデータの生成に要する生成時間を予測する生成時間予測手段と、を有し、
前記生成時間予測手段は、
前記色情報により示される、単一オブジェクト内の色が変化する変化点の数に基づいて前記生成時間を予測する、
ことを特徴とする印刷装置。
【請求項２】
請求項１に記載の印刷装置において、
前記生成時間予測手段は、前記変化点の数がより多い印刷画像について、より長い生成時間を予測することを特徴とする印刷装置。
【請求項３】
請求項１又は２に記載の印刷装置において、
前記色情報は、前記オブジェクトを彩色する色が複数であるか否かを示すパラメータを含み、
前記生成時間予測手段は、
前記彩色する色が複数であることを示すパラメータを含む色情報に係る印刷画像について、前記変化点の数に基づいて前記生成時間を予測する、
ことを特徴とする印刷装置。
【請求項４】
請求項１乃至３のいずれかに記載の印刷装置において、
前記印刷画像について、前記色情報、前記オブジェクトを囲む矩形領域の座標を示す情報、および前記オブジェクトの形状を示す情報を含む中間情報を生成する中間情報生成手段を更に有し、
前記生成時間予測手段は、前記中間情報に含まれる前記色情報に基づいて前記生成時間を予測する、
ことを特徴とする印刷装置。
【請求項５】
請求項１乃至４のいずれかに記載の印刷装置において、
前記生成時間に基づいて、印刷手段の動作を制御する制御手段を更に有することを特徴とする印刷装置。
【請求項６】
請求項１乃至５のいずれかに記載の印刷装置において、
前記生成時間は、ラスタライズ処理に要する時間であることを特徴とする印刷装置。
【請求項７】
コンピュータを、
印刷画像内のオブジェクトの彩色内容を示す色情報を取得する手段と、
前記印刷画像を印刷するためのデータの生成に要する生成時間を予測する生成時間予測手段と、を有し、
前記生成時間予測手段は、
前記色情報により示される、単一オブジェクト内の色が変化する変化点の数に基づいて前記生成時間を予測する、
印刷装置として動作させるプログラム。
【発明の詳細な説明】
【技術分野】
【０００１】
本発明は、印刷装置、およびプログラムに関する。
【背景技術】
【０００２】
特許文献１には、画像データが変換されて生成される中間言語のコマンドのサイズに基づいて、画像形成時間を予測する画像形成装置の発明が開示されている。特許文献２には、ビットイメージの生成に要する処理時間に基づいて決定されるタイミングでプリンタの出力機構を起動するプリンタ制御装置であって、データファイルに付加された属性情報に基づいて処理時間を予測するプリンタ制御装置の発明が開示されている。特許文献３には、画像データからビットマップ画像への変換に要する処理時間を示す情報の効率的な生成と再利用を実現する発明であって、このなかで画像データの解析結果に基づいて生成されるデータ変換に要する処理量を指数として用いて、処理時間を取得する構成が開示されている。
【０００３】
特許文献４には、画像データの印刷において該画像データを複数のブロックに分割してそれぞれについて出力形式画像データを生成し、印刷時に再配置を行うことでページ単位での画像データのスプールを不要とする画像処理装置の発明が開示されており、このなかでブロック単位で画像生成処理に要する時間を予測する構成が開示されている。特許文献５には、印刷データから生成される中間データに基づいて展開時間を予測し、該展開時間に基づいて画像出力手段の出力速度を決定する印刷処理装置の発明が開示されている。
【先行技術文献】
【特許文献】
【０００４】
【特許文献１】特開２００４−２６２０２６号公報
【特許文献２】特開平１０−５８７９８号公報
【特許文献３】特開２００８−１８６２５３号公報
【特許文献４】特開２０１０−１１１０９９号公報
【特許文献５】特開平１０−１５７２１６号公報
【発明の概要】
【発明が解決しようとする課題】
【０００５】
本発明の目的の１つは、オブジェクト内の色が変化する変化点の数に基づいて印刷のためのデータの生成に要する生成時間の予測を行う印刷装置、およびプログラムを提供することにある。
【課題を解決するための手段】
【０００６】
上記目的を達成するために、請求項１に記載の発明は、印刷画像内のオブジェクトの彩色内容を示す色情報を取得する手段と、前記印刷画像を印刷するためのデータの生成に要する生成時間を予測する生成時間予測手段と、を有し、前記生成時間予測手段は、前記色情報により示される、単一オブジェクト内の色が変化する変化点の数に基づいて前記生成時間を予測する、ことを特徴とする印刷装置である。
【０００７】
また、請求項２に記載の発明は、請求項１に記載の印刷装置において、前記生成時間予測手段は、前記変化点の数がより多い印刷画像について、より長い生成時間を予測することを特徴とする印刷装置である。
【０００８】
また、請求項３に記載の発明は、請求項１又は２に記載の印刷装置において、前記色情報は、前記オブジェクトを彩色する色が複数であるか否かを示すパラメータを含み、前記生成時間予測手段は、前記彩色する色が複数であることを示すパラメータを含む色情報に係る印刷画像について、前記変化点の数に基づいて前記生成時間を予測する、ことを特徴とする印刷装置である。
【０００９】
また、請求項４に記載の発明は、請求項１乃至３のいずれかに記載の印刷装置において、前記印刷画像について、前記色情報、前記オブジェクトを囲む矩形領域の座標を示す情報、および前記オブジェクトの形状を示す情報を含む中間情報を生成する中間情報生成手段を更に有し、前記生成時間予測手段は、前記中間情報に含まれる前記色情報に基づいて前記生成時間を予測する、ことを特徴とする印刷装置である。
【００１０】
また、請求項５に記載の発明は、請求項１乃至４のいずれかに記載の印刷装置において、前記生成時間に基づいて、印刷手段の動作を制御する制御手段を更に有することを特徴とする印刷装置である。
【００１１】
また、請求項６に記載の発明は、請求項１乃至５のいずれかに記載の印刷装置において、前記生成時間は、ラスタライズ処理に要する時間であることを特徴とする印刷装置である。
【００１２】
また、請求項７に記載の発明は、コンピュータを、印刷画像内のオブジェクトの彩色内容を示す色情報を取得する手段と、前記印刷画像を印刷するためのデータの生成に要する生成時間を予測する生成時間予測手段と、を有し、前記生成時間予測手段は、前記色情報により示される、単一オブジェクト内の色が変化する変化点の数に基づいて前記生成時間を予測する、印刷装置として動作させるプログラムである。
【発明の効果】
【００１３】
請求項１に係る発明によれば、オブジェクト内の色が変化する変化点の数に基づいて印刷のためのデータの生成に要する生成時間の予測を行う印刷装置が提供される。
【００１４】
請求項２に係る発明によれば、変化点の数がより多い印刷画像について、より長い生成時間を予測する印刷装置が提供される。
【００１５】
請求項３に係る発明によれば、彩色する色が複数であることを示すパラメータを含む色情報に係る印刷画像について、変化点の数に基づいて生成時間の予測を行う印刷装置が提供される。
【００１６】
請求項４に係る発明によれば、色情報、矩形領域の座標を示す情報、およびオブジェクトの形状を示す情報を含む中間情報に含まれる色情報に基づいて、生成時間の予測を行う印刷装置が提供される。
【００１７】
請求項５に係る発明によれば、生成時間に基づいて、印刷手段の動作を制御する印刷装置が提供される。
【００１８】
請求項６に係る発明によれば、変化点の数に基づいてラスタライズ処理に要する時間の予測を行う印刷装置が提供される。
【００１９】
請求項７に係る発明によれば、コンピュータを、オブジェクト内の色が変化する変化点の数に基づいて印刷のためのデータの生成に要する生成時間の予測を行う印刷装置として動作させるプログラムが提供される。
【図面の簡単な説明】
【００２０】
【図１】本発明の一実施形態に係る印刷装置のハードウエア構成を示すブロック図である。
【図２】本発明の一実施形態に係る印刷装置が有する機能を示す機能ブロック図である。
【図３】本実施形態に係る印刷装置において生成される中間データの構成を示す図である。
【図４】Ｂｂｏｘ情報において示される２つの座標を示す図である。
【図５】生成時間予測部における予測処理の概念を示す図である。
【図６】本発明の一実施形態に係る印刷装置のＣｏｌｏｒ情報処理部の構成を示す図である。
【図７】本発明の一実施形態に係る印刷装置における生成時間の予測処理を示すフローチャートである。
【発明を実施するための形態】
【００２１】
図１は、本発明の一実施形態に係る印刷装置１０のハードウエア構成を示すブロック図である。印刷装置１０は、互いにバス１００により接続される操作部２００、ＣＰＵ３００、記憶部４００、印刷部５００、および表示部６００を有する。操作部２００は印刷装置１０の操作キー等であり、印刷装置１０の操作者による操作を受け付ける。ＣＰＵ３００は、記憶部４００に記憶されるプログラムにより動作し、後述する各機能を実現する。記憶部４００はハードディスク、メモリー等の記憶素子からなる。印刷部５００は、実際に印刷用紙に対して印刷データに基づく画像、図面等を印字する。表示部６００は液晶ディスプレイ等の表示装置であり、印刷装置１０の操作のためのメニューや、印刷装置１０の動作状況等を表示する。
【００２２】
図２は、本発明の一実施形態に係る印刷装置１０が有する機能を示す機能ブロック図である。印刷装置１０は、フロントエンド処理部１１０、バックエンド処理部１２０、生成時間予測部１３０、および印刷部５００を有する。
【００２３】
フロントエンド処理部１１０は、ページ記述言語（Ｐａｇｅ  Ｄｅｓｃｒｉｐｔｉｏｎ  Ｌａｎｇｕａｇｅ，ＰＤＬ）で記述された印刷データを含む印刷要求を受信し、印刷データから中間データを生成する。
【００２４】
フロントエンド処理部１１０は、インタプリタ１１１、および中間データ生成部１１２を有する。インタプリタ１１１は、ページ記述言語の印刷データを先頭から解釈する。中間データ生成部１１２は、インタプリタ１１１から入力される印刷データの解釈結果から中間データを生成する。中間データについては後述する。
【００２５】
バックエンド処理部１２０は、フロントエンド処理部１１０により生成された中間データをラスター走査可能な画像データ（ビットマップデータ）に変換し、印刷部５００に出力する。
【００２６】
バックエンド処理部１２０は、マーキング処理部１２１、およびハーフトーン処理部１２２を有する。マーキング処理部１２１は、フロントエンド処理部１１０から入力される中間データを処理して、画像データを生成する。ハーフトーン処理部１２２は、マーキング処理部１２１により生成される画像データに対しハーフトーン処理を行う。
【００２７】
生成時間予測部１３０は、フロントエンド処理部１１０で生成される中間データに基づいて、バックエンド処理部１２０におけるビットマップデータ（印刷のためのデータ）の生成処理（ラスタライズ処理）に要する生成時間を予測し、予測された生成時間を示す情報（生成時間情報）を印刷部５００に出力する。
【００２８】
印刷部５００は、バックエンド処理部１２０から入力されるハーフトーン処理後の画像データの印刷処理を実行する。印刷部５００は、印刷制御部５０１、および印刷処理部５０２を有する。印刷制御部５０１は印刷処理部５０２において実行される印刷処理を制御し、特に生成時間予測部１３０から入力される生成時間情報に基づいて印刷処理部５０２における用紙の搬送速度等を制御する。印刷処理部５０２は、印刷制御部５０１による制御に基づいて、バックエンド処理部１２０から入力されるビットマップデータの印刷処理を行う。
【００２９】
次に、中間データおよび生成時間予測部１３０の動作について説明する。図３は、本実施形態に係る印刷装置１０において生成される中間データの構成を示す図である。
【００３０】
本実施形態で使用する中間データは、オブジェクト７００ごとに、当該オブジェクト７００の領域を示すＢｂｏｘ情報、当該オブジェクト７００の色を示すＣｏｌｏｒ情報、当該オブジェクト７００の形状を示すＳｈａｐｅ情報と、を含んで構成される。ここでＢｂｏｘ情報は、オブジェクト７００を囲む矩形領域の２つの頂点の座標を示す。図４は、Ｂｂｏｘ情報において示される２つの座標を示す図である。Ｃｏｌｏｒ情報は、オブジェクト７００の色とともに、当該色が一様に塗られたものか（ＣｏｎｓｔａｎｔＣｏｌｏｒ）、グラデーション状に塗られたものか（ＣｏｎｔｉｎｕｏｕｓＣｏｌｏｒ）、ラスタ状に塗られたものか（ＲａｓｔｅｒＣｏｌｏｒ）を示す。Ｓｈａｐｅ情報は、オブジェクト７００の形状が矩形領域そのもの（Ｒｅｃｔ）か、矩形領域内の複数の両端が規定される線分の結合で表現されるもの（ＲｕｎＭａｓｋ）か、矩形領域内に配置されるビット単位で表現するもの（ＲａｓｔｅｒＭａｓｋ）か、を示す。
【００３１】
生成時間予測部１３０は、中間データに対して解析を行い、ビットマップデータ（印刷のためのデータ）の生成時間を予測する。生成時間予測部１３０は、中間データ解析部１３１、Ｂｂｏｘ情報処理部１３２、Ｃｏｌｏｒ情報処理部１３３、Ｓｈａｐｅ情報処理部１３４、相関関係情報保持部１３５、および生成時間算出部１３６を有する。
【００３２】
中間データ解析部１３１は、中間データ生成部１１２で生成される中間データに対して解析処理を行い、Ｂｂｏｘ情報、Ｃｏｌｏｒ情報、およびＳｈａｐｅ情報を取得する。
【００３３】
Ｂｂｏｘ情報処理部１３２は、中間データ解析部１３１で生成されるＢｂｏｘ情報に基づいて、生成時間算出のためのパラメータを生成する。Ｃｏｌｏｒ情報処理部１３３は、中間データ解析部１３１で生成されるＣｏｌｏｒ情報に基づいて、生成時間算出のためのパラメータを生成する。Ｓｈａｐｅ情報処理部１３４は、中間データ解析部１３１で生成されるＳｈａｐｅ情報に基づいて、生成時間算出のためのパラメータを生成する。Ｂｂｏｘ情報処理部１３２、Ｃｏｌｏｒ情報処理部１３３、およびＳｈａｐｅ情報処理部１３４における処理については後述する。
【００３４】
相関関係情報保持部１３５は、予め印刷装置１０において実際に印刷して測定された印刷時間に基づいて取得される、Ｂｂｏｘ情報処理部１３２、Ｃｏｌｏｒ情報処理部１３３、およびＳｈａｐｅ情報処理部１３４において生成されるパラメータと、生成時間と、の相関関係を示す相関関係情報を保持する。生成時間算出部１３６は、Ｂｂｏｘ情報処理部１３２、Ｃｏｌｏｒ情報処理部１３３、およびＳｈａｐｅ情報処理部１３４で生成されたパラメータに基づいて、相関関係情報保持部１３５に保持されている相関関係情報を用いて、生成時間を算出する。相関関係情報保持部１３５において保持される相関関係情報、および生成時間算出部１３６における処理については後述する。
【００３５】
以下、生成時間予測部１３０の各部の動作について説明する。図５は、生成時間予測部１３０における予測処理の概念を示す図である。生成時間の予測に先立って、印刷装置１０においてはビットマップデータの実際の生成時間が測定され、相関関係情報保持部１３５には、各パラメータの値を有するビットマップデータの実際の生成時間、又は各パラメータから生成時間を算出するための近似式（図５の各グラフを表現する式）が保持されている。
【００３６】
ここでＢｂｏｘ情報については、処理時間は矩形領域の面積の増加に伴い増加する（図５のグラフ（１））ことから、相関関係情報保持部１３５は近似式として、面積に対する実際の印刷時間又は面積を変数とする比例式を保持している。Ｂｂｏｘ情報処理部１３２は、Ｂｂｏｘ情報に基づいて矩形領域の面積を示すパラメータを生成し、生成時間算出部１３６に出力する。
【００３７】
Ｃｏｌｏｒ情報については、相関関係情報保持部１３５は、Ｃｏｌｏｒ情報がＣｏｎｓｔａｎｔＣｏｌｏｒ又は、ＣｏｎｔｉｎｕｏｕｓＣｏｌｏｒである場合の生成時間として、一定の数値を保持しており、ＲａｓｔｅｒＣｏｌｏｒである場合には、相関関係情報保持部１３５はオブジェクトを画面内に配置する際にオブジェクト７００のサイズおよび位置を規定する回転行列の数値に対して、実際の生成時間又は各数値を変数とする数式を保持している。生成時間予測部１３０において算出される回転行列は、以下の形式を有する。
【００３８】
【数１】
2016052753.tif 000003
【００３９】
オブジェクト７００の回転角度は、式（１）のａ，ｂ，ｃ，ｄから算出される。回転角度が０°又は１８０°の場合はライン単位でメモリーから読み出されたデータをキャッシュして使用できるのに対し９０°又は２７０°の場合は常にメモリーからデータを読み出す必要があるため、９０°又は２７０°の方が生成時間は長くなる（図５のグラフ（２）（３））。
【００４０】
オブジェクト７００の拡大率は、式（１）のａ，ｂ，ｃ，ｄから算出される。描画処理において、拡大率が１より小さい場合はＤｅｖｉｃｅ  ｔｏ  Ｓｏｕｒｃｅ変換が、拡大率が１以上である場合にはＳｏｕｒｃｅ  ｔｏ  Ｄｅｖｉｃｅ変換が、それぞれ実行される。Ｄｅｖｉｃｅ  ｔｏ  Ｓｏｕｒｃｅ変換とＳｏｕｒｃｅ  ｔｏ  Ｄｅｖｉｃｅ変換においては処理内容が異なるため、予測される生成時間も異なる。
【００４１】
更に、Ｃｏｌｏｒ情報がＲａｓｔｅｒＣｏｌｏｒの場合については、相関関係情報保持部１３５は、生成時間はＳｏｕｒｃｅＤａｔａ量に比例するとする相関関係情報を保持しており（図５のグラフ（４））、生成時間算出部１３６はＳｏｕｒｃｅＤａｔａ量に基づいて生成時間を算出する。
【００４２】
更に、Ｃｏｌｏｒ情報がＲａｓｔｅｒＣｏｌｏｒの場合にはついては、相関関係情報保持部１３５は、生成時間が、横方向の１ラインにおける色の変化点の数の増加に伴い増加するとする相関関係情報を保持しており（図５のグラフ（５））、生成時間算出部１３６は変化点の数に基づいて生成時間を算出する。すなわち、単一のオブジェクト７００が複数の色で彩色されている場合、生成時間算出部１３６は、色が変化する変化点の数に基づいて生成時間を予測し、ここで変化点の数が多いほど予測される生成時間は長くなる。
【００４３】
図６は、本発明の一実施形態に係る印刷装置１０のＣｏｌｏｒ情報処理部１３３の構成を示す図である。Ｃｏｌｏｒ情報処理部１３３は、Ｃｏｌｏｒ情報判定部３３０、回転行列生成部３３１、およびパラメータ生成部３３２を有する。Ｃｏｌｏｒ情報判定部３３０は、Ｃｏｌｏｒ情報がＣｏｎｓｔａｎｔＣｏｌｏｒ、ＣｏｎｔｉｎｕｏｕｓＣｏｌｏｒ、およびＲａｓｔｅｒＣｏｌｏｒのどれであるか判定を行う。回転行列生成部３３１は、Ｃｏｌｏｒ情報がＲａｓｔｅｒＣｏｌｏｒである場合に、式（１）に示される回転行列を算出する。パラメータ生成部３３２は、Ｃｏｌｏｒ情報判定部３３０、および回転行列生成部３３１からの出力に基づいて上述の各数値（回転角度、拡大率、ソースデータ量、変化点の数）を示すパラメータを生成する。生成されたパラメータは生成時間算出部１３６に出力され、生成時間算出部１３６は入力されるパラメータおよび相関関係情報保持部１３５に保持される相関関係情報に基づいて、生成時間を予測する。
【００４４】
以上で述べたとおり、相関関係情報保持部１３５は、各パラメータについて、予め測定された生成時間、又は測定された生成時間に基づいて生成された近似式を保持しており、処理対象の画像について算出されたパラメータに基づいて処理時間を予測する。なお、図５においては概念を明確に示すためにパラメータのそれぞれと生成時間との関係を示しているが、実際には相関関係情報保持部１３５は各パラメータの一部又は全てに対する生成時間又は近似式を保持しており（図５の式（Ａ））、生成時間算出部１３６は各パラメータの一部又は全てに基づいて、１つの処理時間を予測する処理を実行する。また、各グラフは模式的に直線で描画されているが、実際には必ずしも直線ではなく、印刷装置１０の特性等に応じて複雑な曲線を描くこともある。
【００４５】
次に、印刷装置１０の処理をフローチャートを用いて説明する。図７は、本発明の一実施形態に係る印刷装置１０における生成時間の予測処理を示すフローチャートである。
【００４６】
中間データが生成されて生成時間の予測処理が開始されると、生成時間予測部１３０の中間データ解析部１３１は、中間データを解析し（Ｓ７００）、Ｂｂｏｘ情報、Ｃｏｌｏｒ情報、およびＳｈａｐｅ情報を生成する。
【００４７】
次に、生成時間予測部１３０のＢｂｏｘ情報処理部１３２は、Ｂｂｏｘ情報に基づいて、オブジェクトを囲む矩形領域の面積を示すパラメータを生成する（Ｓ７０１）。
【００４８】
次に、生成時間予測部１３０のＣｏｌｏｒ情報処理部１３３は、Ｃｏｌｏｒ情報を参照し（Ｓ７０２）、ＣｏｎｓｔａｎｔＣｏｌｏｒである場合、およびＣｏｎｔｉｎｕｏｕｓＣｏｌｏｒである場合にはその旨を示すパラメータを生成する（Ｓ７０３，Ｓ７０４）。
【００４９】
一方、Ｃｏｌｏｒ情報がＲａｓｔｅｒＣｏｌｏｒである場合には、Ｃｏｌｏｒ情報処理部１３３は回転行列を生成し（Ｓ７０５）、回転角度の判定（Ｓ７０６）および回転角度を示すパラメータの生成（Ｓ７０７，Ｓ７０８）、拡大率の判定（Ｓ７０９）および拡大率を示すパラメータの生成（Ｓ７１０，Ｓ７１１）、ＳｏｕｒｃｅＤａｔａの取得（Ｓ７１２）、ＳｏｕｒｃｅＤａｔａ量を示すパラメータの生成（Ｓ７１３）、変化点の数を示すパラメータの生成（Ｓ７１４）を行う。
【００５０】
そして生成時間予測部１３０の生成時間算出部１３６は、相関関係情報保持部１３５から相関関係情報を取得し（Ｓ７１５）、Ｓ７０３，Ｓ７０４，Ｓ７０７，Ｓ７０８，Ｓ７１０，Ｓ７１１，Ｓ７１３，およびＳ７１４で生成された情報を当て嵌めて生成時間を算出する（Ｓ７１６）。以上で本実施形態に係る印刷装置１０における生成時間の予測処理は終了する。
【００５１】
以上の構成によれば、オブジェクト７００内の色が変化する変化点の数に基づいて印刷のためのデータの生成に要する生成時間の予測を行う印刷装置１０が提供される。
【００５２】
なお、本発明は上述の実施形態に限定されず、オブジェクト７００について生成される、色の変換点の数を含む情報に基づいて印刷のためのデータの生成時間の予測を行う構成を有する範囲において変更された他の実施形態にも及ぶものである。
【００５３】
例えば、上述の実施形態では各パラメータに基づいてラスタライズ処理に要する時間を予測する印刷装置１０が開示されたが、各パラメータに基づいて予測が可能な他の処理について所要時間を予測する他の構成としてもよい。
【００５４】
また、本発明における中間データは実施形態で説明した形式に限定されず、同等の情報を含む他の形式のデータを用いる構成についても及ぶことはいうまでもない。
【００５５】
なお、ここで述べた印刷装置１０の動作は、記憶部４００に記憶されるプログラムを動作させることで実現される。このプログラムは通信によって提供されてもよいし、コンピュータによる読み取りが可能な、ＣＤ−ＲＯＭ等の記憶媒体に格納されて提供されてもよい。
【符号の説明】
【００５６】
１０  印刷装置、１００  バス、１１０  フロントエンド処理部、１１１  インタプリタ、１１２  中間データ生成部、１２０  バックエンド処理部、１２１  マーキング処理部、１２２  ハーフトーン処理部、１３０  生成時間予測部、１３１  中間データ解析部、１３２  Ｂｂｏｘ情報処理部、１３３  Ｃｏｌｏｒ情報処理部、１３４  Ｓｈａｐｅ情報処理部、１３５  相関関係情報保持部、１３６  生成時間算出部、２００  操作部、３００  ＣＰＵ、３３０  Ｃｏｌｏｒ情報判定部、３３１  回転行列生成部、３３２  パラメータ生成部、４００  記憶部、５００  印刷部、５０１  印刷制御部、５０２  印刷処理部、６００  表示部、７００  オブジェクト。
【図１】
2016052753.tif 000004
【図２】
2016052753.tif 000005
【図３】
2016052753.tif 000006
【図４】
2016052753.tif 000007
【図５】
2016052753.tif 000008
【図６】
2016052753.tif 000009
【図７】
2016052753.tif 000010